(57)【要約】      （修正有）【課題】多くの顧客の来店を促進するための顧客来店促進用カードを提供する。【解決手段】店舗での買い物に応じてポイントが付与されて、顧客に特典が提供されるポイントサービスの実施使用される顧客来店促進用カード１であって、営業日の日付の順に沿って配置される複数のマーク枠を備えて、二つ折りの折り目となる中心線Ｃを挟み一方の側部に配置され、マークが付されることで第１ポイント数が付与されることを表示している少なくとも２つ以上の第１マーク枠２ａと、マークが付されることで第１ポイント数より高い第２ポイント数が付与されることを表示している少なくとも２つ以上の第２マーク枠２ｂと、に分類されて、マーク枠の数が所定数以上となったとき、そのときの第１マーク枠２ａ及び第２マーク枠２ｂのそれぞれの内訳に応じた第１ポイント数の合計と第２ポイント数の合計の総計が記入される獲得総ポイント記入欄１０を中心線Ｃを挟み他方の側部に配置する。【選択図】図１
0003219546.tif 000002
【実用新案登録請求の範囲】
【請求項１】
店舗での買い物に応じてポイントが付与されて、貯まったポイント数に応じて所持者である顧客に特典が提供されるポイントサービスの実施に使用される顧客来店促進用カードであって、
店舗の異なる営業日にそれぞれ対応しており、該当する日に顧客が所定の買い物をしたときマークが付される複数のマーク枠を備えて、
前記マーク枠は、
前記マークが付されることで第１ポイント数が付与されることを表示している少なくとも２つ以上の第１マーク枠と、
前記マークが付されることで前記第１ポイント数より高い第２ポイント数が付与されることを表示している少なくとも２つ以上の第２マーク枠と、
に分類されて、
前記マークが付された前記マーク枠の数が所定数以上となったとき、そのときの前記第１マーク枠及び前記第２マーク枠のそれぞれの内訳に応じた第１ポイント数の合計と前記第２ポイント数の合計の総計が記入される獲得総ポイント記入欄を備える顧客来店促進用カード。
【請求項２】
前記第１マーク枠と前記第２マーク枠とは色で識別表示されている請求項１に記載の顧客来店促進用カード。
【請求項３】
前記第１マーク枠と前記第２マーク枠の全てに前記マークが付されているとき、前記第１マーク枠及び前記第２マーク枠のそれぞれの内訳に応じた前記第１ポイント数の合計と前記第２ポイント数の合計の総計ポイント数より多いパーフェクトポイント数を前記獲得総ポイント記入欄に記入することを表示するパーフェクト表示欄を備える請求項１又は２に記載の顧客来店促進用カード。
【請求項４】
第３ポイント数が付与されることを表示している電子マネーボーナス欄を備えて、
前記電子マネーボーナス欄に前記第１マーク枠及び前記第２マーク枠の何れかに表示されている営業日での買い物の精算時に電子マネーカードで支払いが行われたことで電子マネー使用マークが付されると、前記マークが付された前記第１マーク枠と前記第２マーク枠の数が前記所定数以上となったとき前記総計ポイント数又は前記パーフェクトポイント数に、さらに前記第３ポイント数を加えたポイント数が前記獲得総ポイント記入欄へ記入できるようにした請求項３に記載の顧客来店促進用カード。
【請求項５】
前記第１マーク枠及び前記第２マーク枠が対応している前記営業日より後の日付の営業日に対応しており、前記マークが付されたとき前記マークが付されていない何れかの前記第１マーク枠又は前記第２マーク枠に前記マークを付すことを可能にする第３マーク枠をさらに備える請求項１乃至４の何れかに記載の顧客来店促進用カード。
【請求項６】
前記第１マーク枠及び第２マーク枠のそれぞれには異なる魚，カニ，エビの絵柄が付けられており、第２マーク枠に付けられる絵柄は、前記第１マーク枠に付けられる絵柄の魚，カニ，エビより高額な種類の魚，カニ，エビの絵柄が付けられている請求項１に記載の顧客来店促進用カード。
【考案の詳細な説明】
【技術分野】
【０００１】
本考案は、顧客の来店頻度を増加させるための顧客来店促進用カードに関する。
【背景技術】
【０００２】
近年の小売業堺では顧客の囲い込みを目的として、小売店舗等での商品やサービスの購入代金の額に応じて顧客にポイントを付与し、そのポイントの累計数に応じて商品価格の割引等の特典を供与することが広く行われている。そして、小売業者によっては、会員契約の際にボーナスポイントを付与したり、或いは何らかの条件、例えばサービスデイに買い物をしてくれた顧客に対しては、通常の買い物によるポイントにさらにボーナスポイントを付加して付与するなどの例も見られる。
【０００３】
しかしながら、このようなポイントサービスは、現在多くの店舗において行われるようになったため、競業者との差別化を図れなくなってきている。
【０００４】
そこで、顧客のポイント獲得意識を高めるために、ビンゴカードを模した顧客来店促進用カードを通じて買い物のビンゴゲームを実施することが知られている（例えば、特許文献１及び２を参照）。このような顧客来店促進用カードは、マトリクス状に分割される複数のマーク枠にそれぞれ異なる営業日の日付が表記されており、顧客が所定の買い物をしたときの日付に該当するマーク枠にスタンプの捺印等によりマークが付されていき、これによってマトリクスの任意の行又は列若しくは斜めの列でマークが付されてビンゴが成立させた顧客にはボーナスポイントが付与される仕組みとなっている。
【先行技術文献】
【特許文献】
【０００５】
【特許文献１】実用新案登録第３１１０９１５号公報
【特許文献２】実用新案登録第３１１２６７３号公報
【考案の概要】
【考案が解決しようとする課題】
【０００６】
ビンゴゲームの顧客来店促進用カード１００を図４に示すと、縦・横・斜めの列が完成するとビンゴとなるが、中央のマーク枠Ｓ１は４通りのビンゴの完成に係わり、４隅のマーク枠はそれぞれ３通りのビンゴの完成に係わる。したがって、ビンゴの数を増やそうとすれば、先ずマーク枠Ｓ１を押えて、次にマーク枠Ｓ２，Ｓ３，Ｓ４，Ｓ５を押えるのが有利である。このことから、ビンゴカードを模した顧客来店促進用カードにおいては、店舗は顧客に一番訪問してもらいたい日をマーク枠Ｓ１に設定し、次に訪問してもらいたい日をマーク枠Ｓ２，Ｓ３，Ｓ４，Ｓ５にそれぞれ設定することで、顧客が期間中に万遍なく顧客に来店してもらえるよう工夫している。
【０００７】
しかしながら、この場合、各マーク枠を複数の営業日に対応させてはいるものの、店舗側にとって顧客に来店を促したい日の全てを設定しきれない。そして、マーク枠Ｓ１乃至Ｓ５は後のビンゴの完成に有利なマーク枠であるから、顧客はこのマーク枠の日付の日には積極的に店舗を訪問しようとするが、これ以外のマーク枠の日は、このマーク枠でのビンゴを積極的に完成させようとする顧客以外には、敢えて店舗を訪問する気が起らず、この営業日での来店促進効果は限定されたものとなっている。
【０００８】
本考案は、上記点に鑑みて、期間中の各営業日で顧客の来店を均一にすることができる顧客来店促進用カードを提供することを目的としている。
【課題を解決するための手段】
【０００９】
上記課題を解決するために、本考案は、店舗での買い物に応じてポイントが付与されて、貯まったポイント数に応じて所持者である顧客に特典が提供されるポイントサービスの実施に使用される顧客来店促進用カードであって、店舗の異なる営業日にそれぞれ対応しており、該当する日に顧客が所定の買い物をしたときマークが付される複数のマーク枠を備えて、前記マーク枠は、前記マークが付されることで第１ポイント数が付与されることを表示している少なくとも２つ以上の第１マーク枠と、前記マークが付されることで前記第１ポイント数より高い第２ポイント数が付与されることを表示している少なくとも２つ以上の第２マーク枠と、に分類されて、前記マークが付された前記マーク枠の数が所定数以上となったとき、そのときの前記第１マーク枠及び前記第２マーク枠のそれぞれの内訳に応じた第１ポイント数の合計と前記第２ポイント数の合計の総計が記入される獲得総ポイント記入欄を備える。
【００１０】
ここで、前記第１マーク枠と前記第２マーク枠とは色で識別表示するのが好適である。
【００１１】
ある実施態様では前記第１マーク枠と前記第２マーク枠の全てに前記マークが付されているとき、前記第１マーク枠及び前記第２マーク枠のそれぞれの内訳に応じた前記第１ポイント数の合計と前記第２ポイント数の合計の総計ポイント数より多いパーフェクトポイント数を前記獲得総ポイント記入欄に記入するようにする。
【００１２】
この場合、第３ポイント数が付与されることを表示している電子マネーボーナス欄を備えて、前記電子マネーボーナス欄に前記第１マーク枠及び前記第２マーク枠の何れかに表示されている営業日での買い物の精算時に電子マネーカードで支払いが行われたことで電子マネー使用マークが付されると、前記マークが付された前記第１マーク枠と前記第２マーク枠の数が前記所定数以上となったとき前記総計ポイント数又は前記パーフェクトポイント数に、さらに前記第３ポイント数を加えたポイント数が前記獲得総ポイント記入欄へ記入できるようにすることで、電子マネーカードでの支払いを促進することができる。
【００１３】
ある実施形態では、前記第１マーク枠及び前記第２マーク枠が対応している前記営業日より後の日付の営業日に対応しており、前記マークが付されたとき前記マークが付されていない何れかの前記第１マーク枠又は前記第２マーク枠に前記マークを付すことを可能にする第３マーク枠をさらに備える。これにより、第１マーク枠及び第２マーク枠へのスタンプの捺印期間が終了しても、顧客への実質スタンプの捺印期間の延長サービスとなる。
【００１４】
また、前記第１マーク枠及び第２マーク枠のそれぞれには異なる魚，カニ，エビの絵柄を付けて、このとき第２マーク枠に付けられる絵柄は、前記第１マーク枠に付けられる絵柄の魚，カニ，エビより高額な種類の魚，カニ，エビの絵柄とすることで、第１マーク枠と第２マーク枠とのポイント数の違いを明示でき、且つ視覚的に楽しい顧客来店促進用カードが提供される。
【考案の効果】
【００１５】
本考案の顧客来店促進用カードによれば、買い物した日付で付与されるポイント数に差があるものの、第１マーク枠及び第２マーク枠に表示されている何れの日の買い物であってもポイントが付与されるため、ビンゴゲームを模した顧客来店促進用カードと比べて来店する日の自由度が格段に高くなる。一方で、顧客の意識としては高いポイント数の日に買い物する傾向となるため、店舗は、第２マーク枠に表示の日付を顧客に強く来店を促したい日とすることで来店を均一にすることができる。
【図面の簡単な説明】
【００１６】
【図１】本考案の実施形態に係る顧客来店促進用カードの概略平面図を示す。
【図２】ポイントシステムの概略説明図を示す。
【図３】顧客来店促進用カード運用の説明図を示す。
【図４】従来の顧客来店促進用カードで用いられるビンゴゲームの説明図を示す。
【考案を実施するための形態】
【００１７】
本考案の実施の形態について、図面を参照しながら詳細に説明する。図１は、本考案の一例による顧客来店促進用カード１の概略平面図を示しており、中心線Ｃから二つ折りにすることで、携帯用に通常用いられている一般的なカードの縦横の寸法とほぼ同一となるように構成されている。
【００１８】
顧客来店促進用カード１は、ポイント会員カードの会員顧客によって保持される。ポイント会員とは、小売り店舗が顧客サービスの一環で実施しているポイントシステムの会員であって、ポイント会員は店舗で所定の買い物、例えば、一回の精算で３百円以上の買い物をするとポイントが付与されて、貯まったポイント額に応じて店舗から景品や割引などの特典が得られるようになっている。
【００１９】
図２は複数の店舗を展開する小売会社の場合のポイントシステム２０の概略図を示しており、ＰＯＳ端末機２１で買い物の精算時に顧客が提示するポイント会員カード１５をカード読取孔２１ａを通して記録されているポイント会員番号を読み取ると、ＰＯＳ端末機２１はこのポイント会員番号と買い物金額に応じたポイント数を店舗内のストアコンピュータ２２へ伝送し、ストアコンピュータ２２はこれらデータを記憶すると共に通信ネットワーク２４を介して小売会社の本部のサーバ２５へ送信し、サーバ２５は当該ポイント会員番号に関連してこのポイント数を加算して当該顧客のポイント累計を管理する。
【００２０】
以下、複数の店舗を展開する小売会社で使用される顧客来店促進用カード１で説明していく。顧客来店促進用カード１は、各店舗でポイント会員カード会員に共通に配布されて、特別に設定したサービス期間内において、上記のポイントシステム２０を利用して、ポイント会員カード会員にボーナスポイントを加算するサービスを店舗が実施するのに使用される。
【００２１】
顧客来店促進用カード１は上記サービス期間での店舗の異なる営業日が示される１２個のマーク枠を備える。マーク枠は、それぞれ６個ずつの第１マーク枠２ａと第２マーク枠２ｂとに分けられており、これらの枠線を２種類の色で塗り分けることで識別可能となっている。
【００２２】
この各マーク枠２ａ，２ｂには、顧客が所定金額以上、例えば千円以上の買い物をしたとき、当該日付に該当するマーク枠にマークが付される。ここで付されるマークとは、スタンプの捺印又はシールの貼付或いは特殊なインクによる文字や記号の書き込等であるが、以下からはスタンプの捺印で説明していく。
【００２３】
スタンプ期間表示欄３に表示されているスタンプ捺印期間が、すなわち上記のサービス期間であり、第１マーク枠２ａ及び第２マーク枠２ｂが表示しているこの期間内での営業日に顧客が所定の買い物を行うと、該当する日付を表示している第１マーク枠２ａ又は第２マーク枠２ｂに店舗のスタッフによってスタンプが捺印される。
【００２４】
そして、ポイントシステム２０は、顧客来店促進用カード１の一つの第１マーク枠２ａにスタンプが捺印されると顧客に１０ポイント（第１ポイント数）を付与し、一つの第２マーク枠２ｂにスタンプが捺印されると顧客に３０ポイント（第２ポイント数）を付与することになる。したがって、第１マーク枠２ａと第２マーク枠２ｂとはポイントの価値が異なることから、各第２マーク枠２ｂには店舗にとって顧客の来店を促進したい営業日の日付をそれぞれ表示するようにすればよい。第１マーク枠２ａと第２マーク枠２ｂとは、表示している日付順に並べて配置される。
【００２５】
本例の顧客来店促進用カード１は、１２個のそれぞれのマーク枠２ａ，２ｂに魚やエビ・カニの絵柄が付けられて、スタンプが捺印されるのを「釣り」に譬えてこの顧客来店促進用カード１の名称を「釣りスタンプ」としている。この絵柄であるが、ポイント数の高い第２マーク枠２ｂには高額な種類の魚やエビ・カニを配して、ポイント数が低い第１マーク枠２ａと差別化している。尚、この魚やエビ・カニの絵柄は顧客の購買品を意味するものではなく、顧客が店舗内の商品を千円以上購入したときにスタンプが捺印される。
【００２６】
「お助けデー」と表示される第３マーク枠２ｃは２つあり、それぞれが第１マーク枠２ａ，２ｂに表示されている日付以降の日付で且つスタンプ期間表示欄３に表示のスタンプ期間内での異なる日付をそれぞれ表示している。各第３マーク枠２ｃにも、該当する日付での顧客の千円以上の買い物で同様なスタンプが捺印される。第３マーク枠２ｃにスタンプが捺印されると、顧客は、第１マーク枠２ａ及び第２マーク枠２ｂでスタンプが捺印されていない任意のマーク枠を指定してスタンプの捺印を振り替えることができる。よって、各第３マーク枠２ｃの各隣には、顧客によって振替を希望する対象日の振替記入欄４が設けられている。
【００２７】
第１獲得ポイント記入欄５は、スタンプが捺印された第１マーク枠２ａの数とそれによる第１ポイント数の合計とを記入するための欄である。第２獲得ポイント記入欄６は、スタンプが捺印された第２マーク枠２ｂの数とそれによる第２ポイント数の合計とを記入するための欄である。この場合、振替記入欄４に記入されている対象日と一致する日付を表示している第１マーク枠２ａ及び第２マーク枠２ｂにはスタンプが捺印されたものと見做して、第１ポイント数の合計又は第２ポイント数の合計が記入される。
【００２８】
パーフェクトポイント数（２５０ポイント）を表示しているパーフェクト表示欄７は、第１マーク枠２ａ及び第２マーク枠２ｂの全てのマーク枠にスタンプが捺印されている場合或いは第３マーク枠２ｃにスタンプが捺印されていることで第１マーク枠２ａ及び第２マーク枠２ｂの全てのマーク枠にスタンプが捺印されていると見做せる場合に、顧客によってチェック（レ記号）が入れられるチェックボックス７ａを備える。ここにチェックを入れると、顧客に２５０ポイントが付与されることとなる。
【００２９】
電子マネーボーナス欄８は、第１マーク枠２ａ及び第２マーク枠２ｂの何れかに表示されている営業日での買い物の精算時に電子マネーカードで支払いが行われたとき電子マネー使用マークが付される。電子マネー使用マークは、第１マーク枠２ａや第２マーク枠２ｂに捺印されるスタンプを使用するが、別のスタンプの捺印やシールの貼付等であってもよい。
【００３０】
電子マネーボーナスポイント数（５０ポイント）を表示している電子マネーボーナスポイント加算表示欄９は、電子マネーボーナス欄８に電子マネー使用マークが付されているとき顧客によってチェック（レ記号）が入れられるチェックボックス９ａを備えている。ここにチェックを入れると、顧客に５０ポイントが付与されることとなる。
【００３１】
獲得総ポイント記入欄１０は、第１獲得ポイント記入欄５に記入されている第１ポイント数の合計と第２獲得ポイント記入欄６に記入されている第２ポイント数の合計との総計ポイント数又はパーフェクトポイント加算表示欄９に表示されているパーフェクトポイント数に、さらに電子マネーボーナスポイント加算表示欄９のチェックボックス９ａにチェックを入れているときには電子マネーボーナスポイント数の５０ポイントを加えた獲得総ポイント数が記入される欄である。
【００３２】
ポイント引換期間表示欄１１は、獲得総ポイント記入欄１０に記入した獲得総ポイント数をポイントシステム２０に加算可能な期間を表示している。したがって、表示されている期間は、スタンプ期間表示欄３に表示されているスタンプ捺印期間より後の期間となる。
【００３３】
上記構成の顧客来店促進用カード１の運用について図３を参照して説明する。先ず店舗は、スタンプ期間表示欄３に表示されているスタンプ捺印期間の前に店舗が実施しているポイントシステム２０のポイント会員カードの会員顧客に配布する（Ｓ１）。この場合、スタンプ捺印期間が始まっても、ポイントカード会員顧客に顧客来店促進用カード１が配布されてもよい。
【００３４】
スタンプ捺印期間が開始されて、顧客来店促進用カード１を所持している顧客が店舗で買い物したとき、買い物の精算処理を行う店舗のスタッフは、その買い物金額が千円以上であり（Ｓ２の「ＹＥＳ」）、且つ買い物の日が第１マーク枠２ａや第２マーク枠２ｂに表示されている日付の日であるときには（Ｓ３の「ＹＥＳ」）、買い物の精算処理を行う店舗のスタッフは当該日付を表示している第１マーク枠２ａ又は第２マーク枠２ｂにスタンプを捺印する（Ｓ４）。そして、そのときの支払いが電子マネーカードでの支払であるときには（Ｓ５の「ＹＥＳ」）、スタッフは電子マネーボーナス欄８にもスタンプを捺印する（Ｓ６）。
【００３５】
尚、ここでは図示しないが、買い物で顧客がポイント会員カードの１５を提示すれば、ＰＯＳ端末機２１でポイント会員カードの１５からポイント会員番号を読み取り、サーバ２５は当該ポイント会員番号に関連して買い物の金額に応じた通常のポイント数を加算して当該顧客のポイント累計を管理する。このようなポイントカード会員への通常のポイント加算処理は、第１マーク枠２ａ及び第２マーク枠２ｂに表示されている日付に係らず実行される。
【００３６】
顧客来店促進用カード１において、各第１マーク枠２ａ及び第２マーク枠２ｂは表示している日付順で並べて配置されているが、最後に配置されている第１マーク枠２ａ又は第２マーク枠２ｂに表示されている日、本例では８月１３日が過ぎるまでは（Ｓ３の「ＮＯ」）、千円以上の買い物をする度に該当の第１マーク枠２ａ又は第２マーク枠２ｂにスタンプが捺印される。しかし、本例での顧客来店促進用カード１は、電子マネーボーナス欄８への捺印は１回に限定されているため、スタッフは既に捺印があればＳ６の処理は行わない。
【００３７】
一方、千円以上の買い物をした日が第１マーク枠２ａ及び第２マーク枠２ｂのそれぞれに表示されている日付でないとき（Ｓ３の「ＮＯ」）、その日が第３マーク枠２ｃに表示されている何れかの日付であるときには（Ｓ７の「ＹＥＳ」）、該当する日付を表示している第３マーク枠２ｃにスタンプが捺印される（Ｓ８）。そして、そのときの支払いが電子マネーカードでの支払であるときには（Ｓ５の「ＹＥＳ」）、スタッフは電子マネーボーナス欄８にもスタンプを捺印する（Ｓ６）。この場合、電子マネーボーナス欄８にスタンプが捺印されるのは、第１マーク枠２ａ又は第２マーク枠２ｂにスタンプを捺印したとき、電子マネーボーナス欄８にスタンプが捺印されなかった場合である。
【００３８】
千円以上の買い物が第３マーク枠２ｃの何れでもない場合（Ｓ７の「ＮＯ」）、その日がスタンプ捺印期間内であればＳ２に戻る。すなわち、千円以上の買い物が第１マーク枠２ａ、第２マーク枠２ｂ及び第３マーク枠２ｃに表示されている何れの日付にも該当しない場合である。しかし、スタンプ捺印期間が終了しているときは（Ｓ９の「ＮＯ」）、顧客は、第１マーク枠２ａ及び第２マーク枠２ｂ、第３マーク枠２ｃ及び電子マネーボーナス欄８へのスタンプの捺印状況に基づいて、ボーナスポイント数の総計を計算して獲得総ポイント記入欄１０に記入する（Ｓ１０）。この場合、スタンプが捺印された第１マーク枠２ａ又は／及び第２マーク枠２ｂの合計が３以上の場合に、顧客はボーナスポイント数の総計を計算することになる。
【００３９】
このボーナスポイント数の総計の計算は、スタンプが捺印された第１マーク枠２ａの数を数えてそれによる第１ポイント数の合計を計算して、第１獲得ポイント記入欄５に第１ポイント数の合計を記入する。次にスタンプが捺印された第２マーク枠２ｂの数を数えてそれによる第２ポイント数の合計を計算して、第２獲得ポイント記入欄６に第２ポイント数の合計を記入する。
【００４０】
第１ポイント数及び第２ポイント数のそれぞれの合計を計算する際、第１マーク枠２ａ及び第２マーク枠２ｂにスタンプが捺印されていないマーク枠があるときで、顧客は第３マーク枠２ｃにスタンプが捺印されているときには、このスタンプをスタンプが捺印されていない第１マーク枠２ａ又は第２マーク枠２ｂに振り替えることができる。このとき、第３マーク枠２ｃの振替記入欄４には振り替え先の第１マーク枠２ａ又は第２マーク枠２ｂに表示されている日付を顧客は記入する。よって、振り替え先の第１マーク枠２ａ又は第２マーク枠２ｂは、スタンプが捺印されたものと見做して、第１ポイント数の合計又は第２ポイント数の合計を行う際の対象のマーク枠とすることができる。
【００４１】
一方、１２個の第１マーク枠２ａ及び第２マーク枠２ｂの全てにスタンプが捺印されている場合又は全てに捺印されていなくとも第３マーク枠２ｃへの捺印により第１マーク枠２ａ及び第２マーク枠２ｂの全てにスタンプが捺印されていると見做せる場合には、顧客は、第１ポイント数及び第２ポイント数の各合計を敢えて計算する必要はなく、パーフェクト表示欄７のチェックボックス７ａにチェック（レ記号）を入れることになる。
【００４２】
また、顧客は電子マネーボーナス欄８にスタンプが捺印されていると、チェックボックス９ａにチェックを入れる。
【００４３】
そして、顧客は、獲得総ポイント記入欄１０に獲得総ポイント数を記入するが、獲得総ポイント数は、第１獲得ポイント記入欄５に記入した第１ポイント数の合計と第２獲得ポイント記入欄６に記入した第２ポイント数の合計との総計ポイント数又はパーフェクト表示欄７のチェックボックス７ａにチェックを入れている場合はパーフェクトポイント数で、電子マネーボーナス欄８のチェックボックス９ａにチェックを入れているときには、さらに電子マネーボーナスポイント数を加えたポイント数である。
【００４４】
顧客は、獲得総ポイント記入欄１０に獲得総ポイント数を記入した顧客来店促進用カード１をポイント引換期間表示欄１１に表示されている期間内に、ポイント会員カード１５を店舗のスタッフに提示することで、ポイントシステム２０はＰＯＳ端末機２１が読み取ったポイント会員番号でサーバ２５が管理している累計ポイントに獲得総ポイント記入欄１０に獲得総ポイント数をボーナスポイントとして加算する。
【００４５】
本実施形態での顧客来店促進用カード１は、電子マネーカードでの支払いによりボーナスポイントを加算しているが、このポイント加算は特に設ける必要はなく、本考案の趣旨は、スタンプの捺印により高低２通りのポイント数が付与されるマーク枠をそれぞれ複数設けて、顧客がマーク枠に表示している日付やポイントの高低に応じて買い物する日を選べることで、来店する日の自由度を高めることにある。
【００４６】
以上、本考案の実施形態について説明したが、本考案は上記実施形態に限定されるものではなく、本考案の趣旨に基づき種々の変形が可能であり、これらを本考案の範囲から排除するものではない。
【符号の説明】
【００４７】
１      顧客来店促進用カード
２ａ    第１マーク枠
２ｂ    第２マーク枠
２ｃ    第３マーク枠
１０    獲得総ポイント記入欄
【図１】
0003219546.tif 000003
【図２】
0003219546.tif 000004
【図３】
0003219546.tif 000005
【図４】
0003219546.tif 000006
【手続補正書】
【提出日】平成30年11月1日(2018.11.1)
【手続補正１】
【補正対象書類名】実用新案登録請求の範囲
【補正対象項目名】全文
【補正方法】変更
【補正の内容】
【実用新案登録請求の範囲】
【請求項１】
店舗での買い物に応じてポイントが付与されて、貯まったポイント数に応じて所持者である顧客に特典が提供されるポイントサービスの実施に使用される顧客来店促進用カードであって、
店舗の異なる営業日にそれぞれ対応しており、該当する日に顧客が所定の買い物をしたときマークが付される複数のマーク枠を備えて、
対応している営業日の日付の順に沿って配置される複数の前記マーク枠は、二つ折りの折り目となる中心線を挟み一方の側部に配置され、
前記マークが付されることで第１ポイント数が付与されることを表示している少なくとも２つ以上の第１マーク枠と、
前記マークが付されることで前記第１ポイント数より高い第２ポイント数が付与されることを表示している少なくとも２つ以上の第２マーク枠と、
に分類されて、
前記マークが付された前記マーク枠の数が所定数以上となったとき、そのときの前記第１マーク枠及び前記第２マーク枠のそれぞれの内訳に応じた第１ポイント数の合計と前記第２ポイント数の合計の総計が記入される獲得総ポイント記入欄を前記中心線を挟み他方の側部に配置して成る顧客来店促進用カード。
【請求項２】
前記第１マーク枠と前記第２マーク枠とは色で識別表示されている請求項１に記載の顧客来店促進用カード。
【請求項３】
前記第１マーク枠と前記第２マーク枠の全てに前記マークが付されているとき、前記第１マーク枠及び前記第２マーク枠のそれぞれの内訳に応じた前記第１ポイント数の合計と前記第２ポイント数の合計の総計ポイント数より多いパーフェクトポイント数を前記獲得総ポイント記入欄に記入することを表示するパーフェクト表示欄を、前記獲得総ポイント記入欄を配置する側に備える請求項１又は２に記載の顧客来店促進用カード。
【請求項４】
第３ポイント数が付与されることを表示している電子マネーボーナス欄を、前記獲得総ポイント記入欄を配置する側に備えて、
前記電子マネーボーナス欄に前記第１マーク枠及び前記第２マーク枠の何れかに表示されている営業日での買い物の精算時に電子マネーカードで支払いが行われたことで電子マネー使用マークが付されると、前記マークが付された前記第１マーク枠と前記第２マーク枠の数が前記所定数以上となったとき前記総計ポイント数又は前記パーフェクトポイント数に、さらに前記第３ポイント数を加えたポイント数が前記獲得総ポイント記入欄へ記入できるようにした請求項３に記載の顧客来店促進用カード。
【請求項５】
前記第１マーク枠及び前記第２マーク枠が対応している前記営業日より後の日付の営業日に対応しており、前記マークが付されたとき前記マークが付されていない何れかの前記第１マーク枠又は前記第２マーク枠に前記マークを付すことを可能にする第３マーク枠をさらに前記獲得総ポイント記入欄を配置する側に備える請求項１乃至４の何れかに記載の顧客来店促進用カード。
【請求項６】
前記第１マーク枠及び第２マーク枠のそれぞれには異なる魚，カニ，エビの絵柄が付けられており、第２マーク枠に付けられる絵柄は、前記第１マーク枠に付けられる絵柄の魚，カニ，エビより高額な種類の魚，カニ，エビの絵柄が付けられている請求項１に記載の顧客来店促進用カード。
【手続補正２】
【補正対象書類名】明細書
【補正対象項目名】０００９
【補正方法】変更
【補正の内容】
【０００９】
上記課題を解決するために、本考案は、店舗での買い物に応じてポイントが付与されて、貯まったポイント数に応じて所持者である顧客に特典が提供されるポイントサービスの実施に使用される顧客来店促進用カードであって、店舗の異なる営業日にそれぞれ対応しており、該当する日に顧客が所定の買い物をしたときマークが付される複数のマーク枠を備えて、対応している営業日の日付の順に沿って配置される複数の前記マーク枠は、二つ折りの折り目となる中心線を挟み一方の側部に配置され、前記マークが付されることで第１ポイント数が付与されることを表示している少なくとも２つ以上の第１マーク枠と、前記マークが付されることで前記第１ポイント数より高い第２ポイント数が付与されることを表示している少なくとも２つ以上の第２マーク枠と、に分類されて、前記マークが付された前記マーク枠の数が所定数以上となったとき、そのときの前記第１マーク枠及び前記第２マーク枠のそれぞれの内訳に応じた第１ポイント数の合計と前記第２ポイント数の合計の総計が記入される獲得総ポイント記入欄を前記中心線を挟み他方の側部に配置して成る。
【手続補正３】
【補正対象書類名】明細書
【補正対象項目名】００１１
【補正方法】変更
【補正の内容】
【００１１】
ある実施態様では、前記第１マーク枠と前記第２マーク枠の全てに前記マークが付されているとき、前記第１マーク枠及び前記第２マーク枠のそれぞれの内訳に応じた前記第１ポイント数の合計と前記第２ポイント数の合計の総計ポイント数より多いパーフェクトポイント数を前記獲得総ポイント記入欄に記入することを表示するパーフェクト表示欄を、前記獲得総ポイント記入欄を配置する側に備える。
【手続補正４】
【補正対象書類名】明細書
【補正対象項目名】００１２
【補正方法】変更
【補正の内容】
【００１２】
この場合、第３ポイント数が付与されることを表示している電子マネーボーナス欄を、前記獲得総ポイント記入欄を配置する側に備えて、前記電子マネーボーナス欄に前記第１マーク枠及び前記第２マーク枠の何れかに表示されている営業日での買い物の精算時に電子マネーカードで支払いが行われたことで電子マネー使用マークが付されると、前記マークが付された前記第１マーク枠と前記第２マーク枠の数が前記所定数以上となったとき前記総計ポイント数又は前記パーフェクトポイント数に、さらに前記第３ポイント数を加えたポイント数が前記獲得総ポイント記入欄へ記入できるようにすることで、電子マネーカードでの支払いを促進することができる。
【手続補正５】
【補正対象書類名】明細書
【補正対象項目名】００１３
【補正方法】変更
【補正の内容】
【００１３】
ある実施形態では、前記第１マーク枠及び前記第２マーク枠が対応している前記営業日より後の日付の営業日に対応しており、前記マークが付されたとき前記マークが付されていない何れかの前記第１マーク枠又は前記第２マーク枠に前記マークを付すことを可能にする第３マーク枠をさらに前記獲得総ポイント記入欄を配置する側に備える。これにより、第１マーク枠及び第２マーク枠へのスタンプの捺印期間が終了しても、顧客への実質スタンプの捺印期間の延長サービスとなる。